(57)【特許請求の範囲】
【請求項１】
塗布具を回転させて化粧料を塗布する回転塗布具であって、
中心に軸を有する略円柱形状の塗布具、および、前記塗布具の前記軸を回転可能に保持する２つの保持部が設けられた持ち手部からなり、
前記持ち手部は、上下に配置された第１の持ち手部と第２の持ち手部、および前記第１の持ち手部と前記第２の持ち手部を接続する弾性部材からなり、
前記２つの保持部は、それぞれ、前記第１の持ち手部の前方から延伸された第１の保持部と、前記第２の持ち手部の前方から延伸された第２の保持部からなり、
前記弾性部材は、前記持ち手部の前方に配置されて、前記第１の持ち手部と前記第２の持ち手部の後方が互いに離れる方向に、そして、前記第１の保持部の前方と前記第２の保持部の前方が互いに近付く方向に弾性力を加えており、
前記弾性部材の弾性力によって、前記第１の保持部と前記第２の保持部が前記塗布具の両端で前記軸を上下に挟んで回転可能に保持し、
前記第１の持ち手部と前記第２の持ち手部に力を加えて、前記第１の持ち手部と前記第２の持ち手部の後方が互いに近付く方向に、前記弾性部材を変形させることにより、前記第１の保持部と前記第２の保持部の前方を互いに離れさせて前記軸の保持を解除し、
前記第１の持ち手部、前記第２の持ち手部、前記弾性部材、前記第１の保持部、および、前記第２の保持部は、一体成形されていることを特徴とする回転塗布具。
【発明の詳細な説明】
【技術分野】
【０００１】
本発明は、化粧料を塗布する回転塗布具に関する。
【背景技術】
【０００２】
化粧を行う際に利用する化粧用具の一つとして、ファンデーション等の化粧料を肌に塗布するパフ等の塗布具が用いられている。このような塗布具は、円形や略矩形の平面形状で、所定の厚みにスポンジを形成したものが一般的であった。このような塗布具では十分に均一の厚さで化粧料を塗布することができないとして、持ち手の部分に塗布具を回転可能に取り付けたローラー式の塗布具を用いたものもいくつか存在する（特許文献１参照）。
【先行技術文献】
【特許文献】
【０００３】
【特許文献１】特開２０１１−４４４号公報
【発明の概要】
【発明が解決しようとする課題】
【０００４】
上述のようなファンデーション等を塗布する塗布具は一般的に洗浄して繰り返し使用するものであるが、特許文献１に開示されているローラー式の塗布具は、使い勝手は良いが、持ち手の部分からスポンジ部分を取り外すことができないので、簡単にそして綺麗に洗浄することができないという問題があった。
【０００５】
そこで、本発明は前記問題を解決するために、簡単に塗布具を取り外すことができる回転塗布具を提供することを目的とする。
【課題を解決するための手段】
【０００６】
本発明の回転塗布具は、塗布具を回転させて化粧料を塗布する回転塗布具であって、中心に軸を有する略円柱形状の塗布具、および、前記塗布具の前記軸を回転可能に保持する２つの保持部が設けられた持ち手部からなり、前記持ち手部は、上下に配置された第１の持ち手部と第２の持ち手部、および前記第１の持ち手部と前記第２の持ち手部を接続する弾性部材からなり、前記２つの保持部は、それぞれ、前記第１の持ち手部の前方から延伸された第１の保持部と、前記第２の持ち手部の前方から延伸された第２の保持部からなり、前記弾性部材は、前記持ち手部の前方に配置されて、前記第１の持ち手部と前記第２の持ち手部の後方が互いに離れる方向に、そして、前記第１の保持部の前方と前記第２の保持部の前方が互いに近付く方向に弾性力を加えており、前記弾性部材の弾性力によって、前記第１の保持部と前記第２の保持部が前記塗布具の両端で前記軸を上下に挟んで回転可能に保持し、前記第１の持ち手部と前記第２の持ち手部に力を加えて、前記第１の持ち手部と前記第２の持ち手部の後方が互いに近付く方向に、前記弾性部材を変形させることにより、前記第１の保持部と前記第２の保持部の前方を互いに離れさせて前記軸の保持を解除することを特徴とする。
【発明の効果】
【０００７】
本発明の回転塗布具は、塗布具を回転させて化粧料を塗布する回転塗布具であって、中心に軸を有する略円柱形状の塗布具、および、前記塗布具の前記軸を回転可能に保持する２つの保持部が設けられた持ち手部からなり、前記持ち手部は、上下に配置された第１の持ち手部と第２の持ち手部、および前記第１の持ち手部と前記第２の持ち手部を接続する弾性部材からなり、前記２つの保持部は、それぞれ、前記第１の持ち手部の前方から延伸された第１の保持部と、前記第２の持ち手部の前方から延伸された第２の保持部からなり、前記弾性部材は、前記持ち手部の前方に配置されて、前記第１の持ち手部と前記第２の持ち手部の後方が互いに離れる方向に、そして、前記第１の保持部の前方と前記第２の保持部の前方が互いに近付く方向に弾性力を加えており、前記弾性部材の弾性力によって、前記第１の保持部と前記第２の保持部が前記塗布具の両端で前記軸を上下に挟んで回転可能に保持し、前記第１の持ち手部と前記第２の持ち手部に力を加えて、前記第１の持ち手部と前記第２の持ち手部の後方が互いに近付く方向に、前記弾性部材を変形させることにより、前記第１の保持部と前記第２の保持部の前方を互いに離れさせて前記軸の保持を解除することにより、前記塗布具を簡単に前記持ち手部から取り外すことができるので、前記塗布具を取り外して綺麗に洗浄することが可能となる。
【図面の簡単な説明】
【０００８】
【図１】本発明の回転塗布具の斜視図である。
【図２】塗布具を持ち手部に力を加えて、保持部の前方の隙間を広げた状態を示す斜視図である。
【図３】塗布具を取り外した状態の回転塗布具の斜視図である。
【図４】持ち手部の斜視図である。
【図５】本発明の回転塗布具の側面図でああり、（ａ）は塗布具を保持した状態を示し、（ｂ）は塗布具の保持を解除した状態を示す。
【図６】持ち手部の断面図であり、（ａ）は塗布具を保持した状態を示し、（ｂ）は塗布具の保持を解除した状態を示す。
【発明を実施するための形態】
【０００９】
本発明の回転塗布具１を、図を用いて説明する。図１〜３，５に示すのが本発明の回転塗布具１である。本発明の回転塗布具１は、図１〜３，５に示すように、塗布具２と、前記塗布具２を回転可能に保持する２つの保持部７が形成された持ち手部３から構成され、前記塗布具２に化粧料を付着させて、前記塗布具２を回転させながら化粧料を肌に塗布する構造である。前記塗布具２は、スポンジからなる円筒形状の塗布部分４と、前記塗布部分４の中心を貫通し、前記塗布部分４の両端面から先端がそれぞれ突出した形状の軸５からなる。前記塗布部分４と前記軸５は接着剤等で固定する構造、あるいは前記塗布部分４から前記軸５を取り外し可能とする構造を用いることができる。
【００１０】
前記持ち手部３は、図３，４に示すように、上下に配置された第１の持ち手部６と第２の持ち手部６’、および前記第１の持ち手部６と前記第２の持ち手部６’を所定の間隔で接続する弾性部材９から構成される。前記弾性部材９は、図６に示すように、円弧状断面を有する部材であり、円弧状の断面の上下端部に前記第１の持ち手部６と前記第２の持ち手部６’がそれぞれ配置されている。前記弾性部材９は前記第１の持ち手部６と前記第２の持ち手部６’の前方に配置され、前記弾性部材９の円弧状の断面が前記第１の持ち手部６と前記第２の持ち手部６’の前方に突出する形状であり、前記弾性部材９、前記第１の持ち手部６、および前記第２の持ち手部６’が樹脂で一体成形されていることから、前記弾性部材９は、前記第１の持ち手部６と前記第２の持ち手部６’に対してその後方が互いに離れる方向に弾性力を加えている。
【００１１】
前記持ち手部３には、図１〜４に示すように、前記軸５の両端を回転可能に保持する２つの保持部７が設けられている。前記２つの保持部７は、それぞれが、前記第１の持ち手部６の前方から延伸された第１の保持部８と、前記第２の持ち手部６’の前方から延伸された第２の保持部８’から構成される。前記第１の保持部８と前記第２の保持部８’は、クリップのように前記軸５の端部を上下に回転可能に挟み込む構造である。
【００１２】
前記第１の保持部８の前方には、前記軸５の端部を挟むために、切り欠き１０が形成され、前記第２の保持部８’の前方には、前記軸５の端部を保持するために、上方に湾曲した曲面部分１１が形成されている。前記切り欠き１０および曲面部分１１はそれぞれ前記軸５の端部の側面に合わせた曲面を部分的に有しており、前記切り欠き１０と前記曲面部分１１の曲面によって形成されるスペースに前記軸５の端部が挿入されることで、前記軸５は回転可能に保持される。
【００１３】
また、前記軸５の端部は、図４，６に示すように、段差を有する形状となっており、これに合わせて、前記切り欠き１０および前記曲面部分１１も、図６に示すように、段差を有する形状としている。前記軸５の端部は先端側が径が小さくなる段差であり、これに対応するように、前記切り欠き１０は内側が大きくなるように段差が形成され、前記曲面部分１１は内側の曲面が外側の曲面より曲率が大きくなるように段差が形成されている。このように、前記軸５の端部、前記切り欠き１０および前記曲面部分１１に段差を設けることにより、前記軸５の軸心方向への移動を制限している。
【００１４】
前記弾性部材９によって、前記第１の持ち手部６と前記第２の持ち手部６’はその後方が互いに離れる方向に力が加えられているが、これによって、前記弾性部材９よりも前方に位置する前記第１の保持部８と前記第２の保持部８’は、前方が互いに近付く方向に力が加えられている。このような前記弾性部材９による弾性力によって、前記第１の保持部８と前記第２の保持部８’は前記軸５を上下に挟み込むクリップの状態となる。
【００１５】
前記第１の保持部８と前記第２の保持部８’とで、前記軸５を上下に挟み込んだ時、図１，５（ａ），６（ａ）に示すように、前記第１の保持部８と前記第２の保持部８’との前方は、完全に閉じているのではなく、隙間１２が生じているが、前記隙間１２は前記軸５が前方に抜くことのできない大きさとなっている。また、前記第１の保持部８と前記第２の保持部８’とで、前記軸５を上下に挟み込んだ時、図５（ａ），６（ａ）前記第１の保持部８と前記第２の保持部８’との後方の間にも隙間が生じているが、その隙間は切り欠き１１の後方の曲面によって前記軸５が後方に移動しない大きさとされている。
【００１６】
そして、前記第１の保持部８と前記第２の保持部８’とで、前記軸５を上下に挟み込んだ時、前記軸５は前記第１の保持部８と前記第２の保持部８’によって押さえ付けられて回転が阻害されないように、前記切り欠き１０と前記曲面部分１１の曲面によって形成されるスペースは、前記軸５の端部が挿入された時に、前記軸５の周囲に隙間が生じる大きさに形成されている。これにより、前記軸５は、前記切り欠き１０と前記曲面部分１１の曲面によって形成されるスペース内で回転可能となり、前記保持部７によって前記軸５が回転可能に保持される。
【００１７】
このようにして、図１に示すように、前記塗布具２の軸５は、前記２つの保持部７によって両端が保持され、そして、前記軸５の各端は、前記第１の保持部８と前記第２の保持部８’によって上下に回転可能に挟まれて保持されていることにより、前記軸５は前記持ち手部３に回転可能に保持されることとなり、前記塗布具２が前記持ち手部３に回転可能に保持される。
【００１８】
本発明の回転塗布具１において、前記塗布具２を前記持ち手部３から取り外す方法について説明する。前記塗布具２を取り外すために、まず最初に、前記第１の持ち手部６と前記第２の持ち手部６’の後方を手で挟むことで、後方が上下に互いに近付く方向に力を加える。すると、前記弾性部材９が変形して、図２，５（ｂ），６（ｂ）に示すように、前記前記第１の持ち手部６と前記第２の持ち手部６’の後方が互いに接近する。この時、前記第１の保持部８と前記第２の保持部８’の前方が互いに離れる方向に移動する。
【００１９】
前記第１の保持部８と前記第２の保持部８’の移動によって、図２，５（ｂ），６（ｂ）に示すように、前記第１の保持部８と前記第２の保持部８’の前方の隙間１２が広がる。前記隙間１２の大きさが前記軸５の直径よりも大きくなったら、前記軸５を前記保持部７の前方に抜くことができるので、前記塗布具２を持って、前記持ち手部３から離れる方に水平方向に移動させて、前記軸５を前記切り欠き１０と前記曲面部分１１の曲面によって形成されるスペースから移動させると、前記塗布具２が前記持ち手部３から取り外すことができる。
【００２０】
このように、前記塗布具２が前記持ち手部３から取り外されて、図３の状態となると、使用者は前記塗布具２を簡単に洗浄することができる。前記塗布具２の構造が、前記塗布部分４と前記軸５を分解することができる場合には、前記塗布部分４を取り外し、スポンジからなる前記塗布部分４だけを洗浄することもできる。
【００２１】
前記塗布具２の洗浄および乾燥が完了したら、前記塗布具２を前記持ち手部３に取り付ける。この時、前記塗布具２が取り外された状態の持ち手部３は、図４，６（ａ）に示すように、前記弾性部材９によって、前記第１の持ち手部６と前記第２の持ち手部６’がその後方が互いに離れる方向に移動し、前記第１の保持部８と前記第２の保持部８’は、前方が互いに近付く方向に移動している。このままでは、前記軸５を前記切り欠き１０と前記曲面部分１１の曲面によって形成されるスペースに入れることができないので、前記塗布具２の取り外す時と同じように、前記第１の持ち手部６と前記第２の持ち手部６’の後方を手で挟むことで、その後方が上下に互いに近付く方向に力を加えて、図３，６（ｂ）に示すように、前記第１の保持部８と前記第２の保持部８’の前方の隙間１２を広げる。
【００２２】
前記第１の保持部８と前記第２の保持部８’の前方の隙間１２が、前記軸５が通過できる間隔となったら、前記塗布具２を持って前記第１の保持部８と前記第２の保持部８’の前方の隙間１２から、図２，５（ｂ）に示すように、前記軸５を前記切り欠き１０と前記曲面部分１１の曲面によって形成されるスペースに挿入する。そして、前記第１の持ち手部６と前記第２の持ち手部６’の後方から手を離すと、前記弾性部材９によって、前記第１の持ち手部６と前記第２の持ち手部６’はその後方が互いに離れる方向に移動し、前記第１の保持部８と前記第２の保持部８’は、その前方が互いに近付く方向に移動する。
【００２３】
その結果、図１，５（ａ）に示すように、前記塗布具２の軸５は、前記２つの保持部７によって両端が保持され、そして、前記軸５の各端は、前記第１の保持部８と前記第２の保持部８’によって上下に回転可能に挟まれて保持されていることにより、前記軸５は前記持ち手部３に回転可能に保持され、前記塗布具２の前記持ち手部３への取り付けが完了する。
【００２４】
前記第１の持ち手部６、前記第２の持ち手部６’、前記弾性部材９、前記第１の保持部８および前記第２の保持部８’は、樹脂によって一体成形されており、前記弾性部材９はその形状および材質を利用して弾性変形する構造としている。
【００２５】
前記第１の保持部８の前方に形成された切り欠き１０、そして、前記第２の保持部８’の前方に形成された曲面部分１１の形状は、ここで説明したものに限定するものではなく、前記軸５を回転可能に保持し、また、前記弾性部材９による前記保持部８，８’の移動によって前記軸５を取り出すことが可能な形状であればよい。例えば、前記切り欠き１０と前記曲面部分１１を入れ替えることも可能であり、段差を無くすことも可能である。
【００２６】
使用時に、前記第１の持ち手部６と前記第２の持ち手部６’に力が加わり前記軸５の保持が解除されるのを防ぐために、前記第１の持ち手部６と前記第２の持ち手部６’の間にロック部材を設けることも可能である。前記ロック部材は、例えば、前記第１の持ち手部６と前記第２の持ち手部６’の一方に、折り曲げ可能な板状の部材を設けておき、使用時には、ロック部材を立てた状態にして前記第１の持ち手部６と前記第２の持ち手部６’との間に挟んでおいて互いに近づくのを制限し、前記塗布具２を取り外す際には前記ロック部材を倒してロックを解除する。その他にも、前記持ち手部３とは別部材としておいて、前記第１の持ち手部６と前記第２の持ち手部６’に取り外し可能に配置することも考えられる。
【００２７】
本発明の回転塗布具１は、クリップ式の持ち手部３を用いることにより、簡単に前記塗布具２を保持し、そして取り外す構造を用いることが特徴であり、各部材の形状等は適宜変更可能である。本発明の回転塗布具１はこのような構造によって、回転塗布具でも簡単に取り外して洗浄することができ、また、簡単に塗布具を交換することもできるので、塗布具２をいつまでも清潔な状態で使用することができる。
【００２８】
本発明において、塗布具以外の全ての部材は樹脂を用いて成形することができる。特に、樹脂を用いて一体成形することにより、製造コストを低減することも可能となる。そして、弾性変形する部材は樹脂の性質および形状を利用して弾性変形可能な構造としている。しかしながら、他の材料を用いて、同じ機能を実現することも可能である。
【符号の説明】
【００２９】
１      回転塗布具
２      塗布具
３      持ち手部
４      塗布部分
５      軸
６      第１の持ち手部
６’    第２の持ち手部
７      保持部
８      第１の保持部
８’    第２の保持部
９      弾性部材
１０    切り欠き
１１    曲面部分
１２    隙間
【図１】
0005782351.tif 000002
【図２】
0005782351.tif 000003
【図３】
0005782351.tif 000004
【図４】
0005782351.tif 000005
【図５】
0005782351.tif 000006
【図６】
0005782351.tif 000007